【手続補正書】
【提出日】平成18年3月8日(2006.3.8)
【手続補正１】
【補正対象書類名】明細書
【補正対象項目名】発明の名称
【補正方法】変更
【補正の内容】
【発明の名称】送信装置、受信装置、通信システム、送信方法及び通信方法
【手続補正２】
【補正対象書類名】明細書
【補正対象項目名】特許請求の範囲
【補正方法】変更
【補正の内容】
【特許請求の範囲】
【請求項１】
送信データに応じて変調された複数のサブキャリアを持つマルチキャリア変調信号を送信する送信装置であって、
上記送信データに基づき、所定の変調方式に応じて上記複数のサブキャリアに対してそれぞれの信号点の配置を行うマッピング回路と、
上記マッピング回路の出力信号に対し、伝送路推定用パイロット信号を挿入するパイロット付加回路と、
上記パイロット信号を付加した送信信号を直交変換する直交変換回路と
を有する送信装置。
【請求項２】
上記パイロット付加回路は、上記送信データの属性に応じて上記パイロット信号の挿入を制御する
請求項１記載の送信装置。
【請求項３】
上記パイロット付加回路は、上記送信データの容量、上記送信データの重要度、送信チャネルの状況、または、送信が失敗したとき上記送信データの再送の可否に応じて、各変調時間における上記パイロット信号の挿入数を決定する
請求項１記載の送信装置。
【請求項４】
上記パイロット付加回路は、送信開始したときもっとも高い比率で上記パイロット信号を挿入する、
ただし、１変調時間において各サブキャリアの変調信号を１シンボルとすると、パイロット信号の比率は（パイロットシンボル数／情報シンボル数）で定義される
請求項１記載の送信装置。
【請求項５】
上記パイロット付加回路は、各変調時間毎に上記パイロット信号の比率を低減させる
請求項４記載の送信装置。
【請求項６】
上記パイロット付加回路は、送信開始直後の変調時間ｔ０において、比率（１／ｍ）（ｍは自然数である）で上記パイロット信号を挿入し、変調時間ｔｎ（ｎは自然数である）において比率（１／（ｍ＋ｎ））で上記パイロット信号を挿入する
請求項４記載の送信装置。
【請求項７】
上記パイロット付加回路は、送信開始直後の変調時間ｔ０において、比率（１／２m ）（ｍは自然数である）で上記パイロット信号を挿入し、変調時間ｔｎ（ｎは自然数である）において比率（１／２(m+n) ）で上記パイロット信号を挿入する
請求項４記載の送信装置。
【請求項８】
上記パイロット付加回路は、送信開始してから所定の時間を経過したとき、上記パイロット信号の比率を一定に保持させる
請求項４記載の送信装置。
【請求項９】
上記パイロット付加回路は、送信開始してから所定の時間を経過したとき、上記パイロット信号の付加を停止させる（比率を０にする）
請求項４記載の送信装置。
【請求項１０】
上記パイロット付加回路は、上記パイロット信号の比率を一定に保持したとき、変調時間毎に上記パイロット信号を挿入する位置を変化させる
請求項８記載の送信装置。
【請求項１１】
上記直交変換回路は、上記パイロット信号を付加した送信信号を逆フーリエ変換する
請求項１記載の送信装置。
【請求項１２】
送信装置によってパイロット信号が付加されたマルチキャリア変調信号を受信する受信装置であって、
受信信号を直交変調する直交変調回路と、
上記直交変調回路の出力信号に基づき、上記パイロット信号を抽出し、抽出したパイロット信号に応じて伝送路推定を行う伝送路推定回路と、
上記伝送路推定回路の推定結果に応じて、上記受信信号に対して補正を行い、受信データを出力するデータ出力回路と
を有する受信装置。
【請求項１３】
上記伝送路推定回路は、上記直交変換回路の出力信号から上記パイロット信号を抽出して、抽出したパイロット信号に応じて伝送路の特性を推定する伝送路同化回路を有する
請求項１２記載の受信装置。
【請求項１４】
上記伝送路同化回路は、上記直交変換回路の出力信号から上記パイロット信号を抽出するパイロット抽出回路と、
上記抽出したパイロット信号をそれぞれの周波数帯域に応じて設けられたグループに分割され、各グループのパイロット信号と隣接するグループからの少なくとも一つのパイロット信号との加算を行う第１の加算回路と、
時間軸上隣接する前の変調時間におけるパイロット信号の加算結果に所定の係数を乗算する乗算回路と、
現時点の加算回路の加算結果と上記乗算回路の出力信号とを加算する第２の加算回路と
を有する請求項１３記載の受信装置。
【請求項１５】
上記伝送路同化回路によって、上記伝送路の伝達特性を示す伝送路ベクトルが出力される
請求項１４記載の受信装置。
【請求項１６】
上記直交変換回路の出力信号と上記伝送路ベクトルの共役を乗算する乗算回路を有し、
上記データ出力回路は、上記乗算回路の出力信号に応じて上記受信データを求める
を有する請求項１５記載の受信装置。
【請求項１７】
上記データ出力回路は、上記乗算回路の出力信号及び変調方式に応じて上記受信データを求める
請求項１６記載の受信装置。
【請求項１８】
上記直交変換回路は、上記受信信号をフーリエ変換する
請求項１２記載の受信装置。
【請求項１９】
送信データに応じて生成したマルチキャリア変調信号を送受信する通信システムであって、
上記送信データに基づき、所定の変調方式に応じて上記複数のサブキャリアに対してそれぞれの信号点の配置を行うマッピング回路と、
上記マッピング回路の出力信号に対し、伝送路推定用パイロット信号を挿入するパイロット付加回路と、
上記パイロット付加回路の出力信号を直交変換する第１の直交変換回路と、
上記第１の直交変換回路の出力信号を伝送路に送信する送信回路と、
上記伝送路から伝送信号を受信する受信回路と、
上記受信回路の受信信号を直交変換する第２の直交変換回路と、
上記第２の直交変換回路の出力信号に基づき、上記パイロット信号を抽出し、抽出したパイロットに応じて伝送路推定を行う伝送路推定回路と、
上記伝送路推定回路の推定結果に応じて、上記受信信号に対して補正を行い、受信データを出力するデータ出力回路と
を有する通信システム。
【請求項２０】
送信データに応じて変調された複数のサブキャリアを持つマルチキャリア変調信号を送信する送信方法であって、
上記送信データに基づき、所定の変調方式に応じて上記複数のサブキャリアに対してそれぞれの信号点の配置を行い、
上記送信データの属性に応じて、上記信号点配置が行われた送信信号に対し、伝送路推定用パイロット信号を挿入し、
上記パイロット信号を付加した送信信号を直交変換する
送信方法。
【請求項２１】
送信データに応じて生成したマルチキャリア変調信号を送受信する通信方法であって、
上記送信データに基づき、所定の変調方式に応じて上記複数のサブキャリアに対してそれぞれの信号点の配置を行い、
上記送信データの属性に応じて、上記信号点配置が行われた送信信号に対し、伝送路推定用パイロット信号を挿入し、
上記パイロット信号を付加した送信信号を直交変換し、
上記直交変換した信号を伝送路に送信し、
上記伝送路から伝送信号を受信し、
上記受信信号を直交変換し、
上記直交変換された受信信号に基づき、上記パイロット信号を抽出し、抽出したパイロットに応じて伝送路推定を行い、
上記伝送路推定の結果に応じて、上記受信信号に対して補正を行い、受信データを出力する
通信方法。
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００３０
【補正方法】削除
【補正の内容】